(57)【要約】  洗濯用途のシステムおよび方法であって、規定された仕様を有する成分水を用いる。この成分水仕様は、最大の全溶解固形物（ＴＤＳ）および／または水硬度イオンからの最大ＴＤＳを含むことができる。規定された仕様を有する成分水の使用は、より少ない水を用いる、そしてより低い水温でのより効率的な洗濯を可能にすることができる。また、成分水の使用は、より低い洗浄温度での向上した洗浄性を可能にし、このことは、同じ結果を得るために、より短い洗浄サイクルおよびより少ない化学薬品の可能性を更にもたらすことができる。
2015529517.tif 000002
【特許請求の範囲】
【請求項１】
給水源からの水を受け入れるように接続された成分水発生器、該成分水発生器は、給水を処理し、そして規定の仕様に適合する成分水を産出するように構成されている；および、
空洞を有する洗浄機であって、該空洞中に洗浄するために物品を配置し、かつ洗浄サイクルの間の特定の時間に該空洞中に該成分水を受け入れるように構成された洗浄機、
を含んでなるシステムであって、
規定された成分水仕様は、全溶解固形物仕様と硬度イオン仕様の少なくとも１つを含んでいる、システム。
【請求項２】
前記成分水を受け入れそして貯蔵し、前記洗浄機へその後に供給するための貯蔵タンクを更に含む、請求項１記載のシステム。
【請求項３】
所定の量の１種もしくは２種以上の化学製品を、前記洗浄機へ、前記洗浄サイクルの間の所定の時間に供給する、自動化された化学製品分配器を更に含む、請求項１記載のシステム。
【請求項４】
前記化学製品分配器が、成分水を受け入れ、そして前記１種もしくは２種以上の化学製品の少なくとも１つの分配の間に、受け入れた成分水を用いる、請求項３記載のシステム。
【請求項５】
前記全溶解固形物仕様が、４００百万分率（ｐｐｍ）未満を含み、かつ硬度イオン仕様が６０ｐｐｍ未満を含む、請求項１記載のシステム。
【請求項６】
前記全溶解固形物仕様が、１００百万分率（ｐｐｍ）未満を含み、かつ硬度イオン仕様が１０ｐｐｍ未満を含む、請求項１記載のシステム。
【請求項７】
前記成分発生器が、逆浸透システムを含む、請求項１記載のシステム。
【請求項８】
前記成分水発生器が、混合樹脂床脱イオンシステム、蒸留システム、または電気分解式脱イオンシステムの少なくとも１つを含む、請求項１記載のシステム。
【請求項９】
前記洗浄機が、洗濯機である、請求項１記載のシステム。
【請求項１０】
前記成分水発生器が、要求に応じて成分水を、前記洗浄機に、前記洗浄サイクルの間に供給する、請求項１記載のシステム。
【請求項１１】
前記洗浄機が、前記成分水を、貯蔵タンクから、前記洗浄サイクルの間に抜き出す、請求項１記載のシステム。
【請求項１２】
洗浄される前記物品が、繊維製品を含む、請求項１記載のシステム。
【請求項１３】
給水源からの水を受け入れるように接続された成分水発生器、該成分水発生器は、該給水を処理して、そして規定された仕様に適合する成分水を産出する；
該成分水を受け入れそして貯蔵し、前記洗浄機へその後に供給するための貯蔵タンク；
該貯蔵タンク中の成分水の量が閾値の水準未満か否かを検出するために配置された貯蔵タンクセンサー；
該貯蔵タンクセンサーから受け取る情報を基に、成分水の発生を制御するように構成された成分水発生器制御器；
空洞を有する洗浄機であって、該空洞中に洗浄のために物品が配置される、洗浄機；および、
該貯蔵タンクから該空洞中へ、洗浄サイクルの間の１つもしくは２つ以上の特定の時間に、成分水を供給するように制御するように構成された洗浄機制御器、
を含んでなるシステムであって、
規定された成分水仕様は、全溶解固形物仕様と硬度イオン仕様の少なくとも１つを含んでいる、システム。
【請求項１４】
前記成分水発生器制御器が、前記貯蔵タンクセンサーから受け取った情報が、前記貯蔵タンク中の成分水の量が、閾値の水準未満であることを示す場合に、成分水の発生を制御する、請求項１３記載のシステム。
【請求項１５】
前記洗浄機が、洗濯機である、請求項１３記載のシステム。
【請求項１６】
所定の量の１種もしくは２種以上の化学製品を、前記洗浄機に、前記洗浄サイクルの間の所定の時間に供給する自動化された化学製品分配器を更に含む、請求項１３記載のシステム。
【請求項１７】
前記化学製品分配器が、前記１種もしくは２種以上の化学製品の少なくとも１種の分配の間に、成分水を受け入れる、請求項１６記載のシステム。
【請求項１８】
前記全溶解固形物仕様が、４００百万分率（ｐｐｍ）未満を含み、かつ硬度イオン仕様が６０ｐｐｍ未満を含む、請求項１３記載のシステム。
【請求項１９】
前記全溶解固形物仕様が、１００百万分率（ｐｐｍ）未満を含み、かつ硬度イオン仕様が１０ｐｐｍ未満を含む、請求項１３記載のシステム。
【請求項２０】
前記成分水発生器が、逆浸透システム、混合樹脂床脱イオンシステム、蒸留システム、または電気分解式脱イオンシステムの少なくとも１つを含む、請求項１３記載のシステム。
【発明の詳細な説明】
【技術分野】
【０００１】
この開示は、洗浄機械システムおよびプロセスに関する。
【背景技術】
【０００２】
施設用洗濯設備、例えばホテル、ナーシングホーム、病院、他の業務用の洗濯事業所および商業的な洗濯事業所の設備は、通常施設用の洗濯機械を用いており、それは、標準的な消費者用洗濯機よりも、大きく、そして長時間に亘ってより多くの量の洗濯物を洗浄する。典型的な１００ポンドの産業用洗濯機の伝統的な洗濯機サイクルは、熱水（例えば、１４０°Ｆの４０ガロン）を用いた洗浄もしくは「石鹸水洗い」サイクル、熱水（例えば、１４０°Fの２０ガロン）を用いた漂白サイクル、温／冷水（例えば、それぞれ１００°Ｆの２０ガロン）を用いた１もしくは２以上のすすぎサイクル、温／冷水（例えば、１００°Ｆの２０ガロン）を用いた酸性／柔軟サイクル、および繊維製品から過剰な水が取り除かれる抜出サイクル、を含むことができる。結果として、典型的な１００ポンド産業用洗濯機械は、１回の洗濯機サイクル当たりに、２００ガロン／ＣＷＴ（ハンドレッドウェイト）以下またはそれ以上を使用する可能性がある。
【０００３】
１つもしくは２つ以上の洗浄機に、洗浄用製品、例えば洗浄剤、漂白剤、すすぎ剤などを自動的に供給するために、自動化された洗浄用製品分配器を、取付けることができる。例えば、分配器は、洗浄されている品目の特定の種類についての定められた「処方」を行うようにプログラムされることができる。シーツ用の処方は、タオル用の処方とは異なる可能性があり、タオル用の処方は、更に他の種類のリネンもしくは繊維製品とは異なる可能性がある。処方は、特定された量の１種もしくは２種以上の洗浄用製品、ならびにそれぞれの化学製品の特定された量が、その洗浄機サイクルの間に分配される、特定された時間を含むことができる。処方は、水の硬度、ｐＨ，アルカリ性、全溶解固形物、または洗浄用製品の有効性に影響を与える可能性がある他の因子に基づいて、特定の場所に対して誂えることができる。例えば、洗浄剤、漂白剤またはすすぎ剤の量を変更することができ、および／または種々の水質調節剤、例えば軟水化剤、ｐＨ中和剤、洗濯用サワー剤などを、洗浄用製品の有効性を低減し、そして堅いもしくは鈍い色のリネンをもたらす可能性がある、給水のいずれかの固有の品質を、相殺させるように用いることができる。
【発明の概要】
【課題を解決するための手段】
【０００４】
包括的には、本開示は、規定された仕様を有する成分水（ingredient water）を用いた洗濯システムおよび方法に向けられている。
【０００５】
１つの例では、本開示は、給水源からの水を受け入れるように接続された成分水発生器（この成分水発生器は、給水を処理し、そして規定された仕様に適合する成分水を産出するように構成されている）、および空洞を有する洗浄機であって、その中に洗浄するために物品を配置し、洗浄サイクルの間の特定の時間にその空洞中に成分水を受け入れるように構成された洗浄機、を含むシステムに向けられており、規定された成分水仕様は、全溶解固形物仕様と硬度イオン仕様の少なくとも１つを含んでいる。
【０００６】
他の例では、本開示は、給水源からの水を受け入れるように接続された成分水発生器（この成分水発生器は、給水を処理し、そして規定された仕様に適合する成分水を産出するように構成されている）、成分水を、その後に洗浄機へ供給するために受け入れ、そして貯蔵する貯蔵タンク、貯蔵タンク中の成分水の量が閾値の水準の下か否かを感知するように配置された貯蔵タンクセンサー、貯蔵タンクセンサーから受け取った情報に基づいて成分水の発生を管理するように構成された成分水発生器制御器、洗浄のために中に物品を配置される空洞を有する洗浄機、および洗浄サイクルの間の１つもしくは２つ以上の特定の時間に貯蔵タンクから、空洞中への成分水の供給を管理するように構成された洗浄機制御器、を含むシステムに向けられており、規定された成分水仕様は、全溶解固形物仕様と硬度イオン仕様の少なくとも１つを含んでいる。
【０００７】
１つもしくは２つ以上の例の詳細が、添付の図面および以下の記載に説明されている。他の特徴および利点は、説明および図面から、そして特許請求の範囲から明らかとなる。
【図面の簡単な説明】
【０００８】
【図１】図１は、洗浄プロセスにおいて規定された仕様を有する成分水を用いた例示的な洗濯システムを説明するブロック図である。
【０００９】
【図２】図２は、規定された仕様を有する成分水を用いた例示的な洗濯システムの電子要素を説明するブロック図である。
【００１０】
【図３】図３は、成分水および標準の市水についての、多様な汚染剤についての汚れ除去の例示の試験データを示すグラフである。
【００１１】
【図４】図４は、１７グレインの硬度、５グレインの硬度を有する水、軟水、および成分水を用いた、多様な汚染剤についての汚れ除去の例示の試験データを示すグラフである。
【００１２】
【図５】図５は、５ｇｐｇの硬度を有する水および成分水を用いた、多様な汚染剤についての、温度に対する汚れ除去の例示の試験データを示すグラフである。
【００１３】
【図６】図６は、５ｇｐｇの硬度を有する水および成分水を用いた、多様な汚染剤についての、時間に対する汚れ除去の例示の試験データを示すグラフである。
【００１４】
【図７】図７は、５ｇｐｇの硬度を有する水および成分水を用いた、多様な汚染剤についての、洗浄剤用量に対する汚れ除去の例示の試験データを示すグラフである。
【００１５】
【図８】図８は、５ｇｐｇの硬度を有する水および成分水を用いた、汚染剤として血液を用いた、アルカリ性の水準に対する汚れ除去の例示の試験データを示すグラフである。
【００１６】
【図９】図９は、規定された仕様を有する成分水を用いた例示の洗浄プロセスを示す図である。
【発明を実施するための形態】
【００１７】
包括的には、本開示は、洗浄機械用途において、規定された仕様を有する成分水を用いた、システムおよび方法に向けられている。洗浄用途としては、例えば、洗濯または食器洗浄用途を挙げることができる。成分水仕様としては、例えば、最大の全溶解固形物（ＴＤＳ）および／または水硬度イオンからの最大のＴＤＳを挙げることができる。規定された仕様を有する成分水の使用は、より少ない水を用い、そしてより低い水温での、より有効な洗浄を可能にすることができる。また、成分水の使用は、より低い洗浄温度で、向上した洗浄力を可能にすることができ、そのことは更に、同等の結果を得るために、より短い洗浄サイクルおよびより少ない量の化学薬品の可能性をもたらすことができる。
【００１８】
図１は、洗浄プロセスにおいて、規定された仕様を有する成分水を用いた、例示の洗浄システム１００を示すブロック図である。この例においては、洗浄システム１００は、洗濯用途である。しかしながら、本開示は、洗濯用途に限定されるものではないことが理解されるであろう。例示の洗濯システム１００は、洗濯機１０２および成分水発生器１０６を含んでいる。洗濯機１０２は、例えば、例えば、２０〜９００ポンド（これらは、例示のためだけの値であり、そしてこの開示はこの点で限定するものではない）の範囲のいずれかの容量を有する、商業的なまたは産業用の洗濯機であることができる。また、この機械は、トンネル型の商業的なまたは産業用の洗濯機であることができる。また、より小さい容量または消費者型の洗濯機も用いることができる。洗濯機１０２は、ドア１０３を含んでおり、それを通して洗浄される繊維製品が、機械１０２のドラム／空洞１０５中に充填されることができる。
【００１９】
この例では、成分水発生器１０６は、給水源１０４から未処理の源水を受け入れ、そして成分水供給ライン１１０を介して、規定された仕様に適合する成分水を産出する。貯蔵タンク１１２は、成分水発生器１０６によって生成された成分水１１５を、１つもしくは２つ以上の洗濯機１０２へと後に供給するために、貯蔵することができる。しかしながら、幾つかの例では、成分水１１４は、要求に応じて（on-demand）発生されて、そして成分水発生器１０６から直接に１つもしくは２以上の洗濯機１０２へと供給されることができ、そして本開示は、この点について限定されるものではないことが理解されなければならない。そのような例では、システム１００は、必ずしも貯蔵タンク１１２を含まなくともよく、そして成分水は、成分水発生器１０６から直接に洗濯機１０２へと供給されることができるし、あるいは貯蔵された、および要求に応じた（on-demand）成分水のいずれかの組合わせもまた用いることができる。成分水は、混合弁を介して供給することができる。
【００２０】
成分水を成分水発生器から機械に直接に供給することは、１つまたは２つ以上の利点を提供することができる。例えば、このことは、システムが、より小さなパッケージで、より高い出力を提供することを援けることができる。更に、このことは、成分水が、適切な使用温度で提供されることを援けることができ、それによって後加熱の必要がない。更に、このことは、ポンプおよび関連設備の大きさを低減させることを援けることができ、低減された設置面積および低減された電気エネルギーコストをもたらす。
【００２１】
更に、図１中に示された例示のシステム１００は単一の洗濯機１０２、単一の成分水発生器１０６、および単一の貯蔵タンク１１２を含んでいるが、他の例では、システム１００は、１つもしくは２つ以上の洗濯機１０２、１つもしくは２つ以上の成分水発生器１０６、および／または１つもしくは２つ以上の貯蔵タンク１１２を含むことができ、そしてこの開示は、この点について限定するものではないことが理解されなければならない。
【００２２】
運転中は、水源１０４は、成分水発生器１０６のための源水供給を提供する。水源１０４は、地方自治体の公共水施設、私設井戸、専用の給水源、または他の給水源によって提供されるとしても、地域の給水源から水を供給することができる。この例では、混合弁１０５は、未処理の熱水源および未処理の冷水源１０４を、それが成分水発生器１０６に入る前に受け入れる。混合弁１０５は、未処理の熱水および未処理の冷水を、所定の温度（または所定の温度範囲内）に到達するように混合する。所定の温度は、成分水発生器１０６の効率を向上させることができるように、そして源水を、成分水膜を通して押出すのに必要な圧力が低下するように選択することができる。このことは、低減された設備コストをもたらすことができる。更に、一度、成分水がこの膜を通過すると、それらの用途のために更に加熱することは必要とされないことができ、ここでは成分水は最終的な使用用途に直接に送られる。
【００２３】
混合弁１０５を通過した後に、未処理の源水は、成分水発生器１０６に入り、これが、源水を、給水中に見られる種々の汚染物質を低減して規定された仕様に適合するように処理することによって、成分水１１４を生成する。排出ライン１０８が、成分水発生器１０６からの汚染物質のフラッシングのために与えられている。一度生成されると、成分水は、成分水発生器１０６から、成分水供給ライン１１０を通って、貯蔵タンク１１２中へ流れる。洗濯機１０２から要求を受けた場合には、成分水１１４は、ポンプ１１６によって貯蔵タンク１１２から抜き出され、そして洗浄機サイクルの間の適切な時間に、洗濯機１０２に供給されることができる。洗濯機１０２は、排出ラインを含んでおり、それを通して、排水が、洗濯機１０２から放出されることができる。
【００２４】
システム１００は、自動化された化学製品分配器１２０を更に含むことができる。分配器１２０は、種々の洗濯用化学薬品（この例では、一般的に参照番号１２２Ａ〜１２２Ｃによって示されている）、例えば洗浄剤、漂白剤、繊維柔軟化剤、脱汚染剤（de-stainers）、アルカリ性剤、サワー剤／柔軟化剤、中和剤、湿潤剤などの適切な量を、洗浄機サイクルの間の適切な時間に、自動的に供給することができる。そのような自動化された化学製品分配器１２０は、洗濯機制御器と連動して、適切な化学製品の計量された量を、洗浄機サイクルの間の特定の時間に提供する制御器を、典型的には含んでいる。これらの分配器は、多くの「処方」がプログラムされていることができ、そのそれぞれが、洗濯されている異なる種類のリネン（例えば、シーツ、タオル、病院用リネン、レストラン用リネンなど）および／または洗濯機によって与えられる異なる種類のサイクル（例えば、軽度、中度、重度など）に対応することができる。
【００２５】
また、成分水１１４は、自動化された化学製品分配器１２０へ、化学製品の分配の間の使用のために提供されることができる。システム１００は、ポンプ１１５および成分水分配ライン１２８をこの目的のために含むことができる。成分水は、あるいは、もしくは更には、必要であれば、分配器に、成分水発生器１０６から直接に提供されることができる。成分水を用いた分配は、例として、化学製品濃縮物の固体ブロックとして造られ、そして販売されているそれらの化学製品のために用いることができる。化学製品は、希釈剤を、化学薬品濃縮物の固体ブロックにスプレーするか、または他の方法で適用することによって分配することができる。希釈剤の適用によって、化学製品の一定量が浸食および／または溶解される。結果として得られる使用溶液は、適用された希釈剤および浸食／溶解された量の化学製品を含んでおり、次いで洗濯機１０２の洗浄槽（tub）中に、ライン１２４を介して、洗浄機サイクルの間の適切な時間に分配される。この方法で分配された化学製品の量は、種々の因子、例えば希釈剤の温度、希釈剤が適用される水圧、希釈剤が適用される時間の長さ、固体製品濃縮物の化学的および／または物理的性質などに依存する可能性がある。化学製品分配器への成分水の提供は、スケールの堆積または化学薬品分配器および洗浄機の入口弁と投入口の腐食に因る、運転トラブルおよび損傷を低減するのを援けることができる。
【００２６】
成分水発生器１０６は、幾つかの形態のいずれかの１つをとることができる。１つの例では、成分水発生器１０６は、逆浸透（ＲＯ）システムを用いて実装することができる。典型的なＲＯシステムは、水（溶媒）の通過を容認し、そして特定の汚染物質（溶質）の通過を阻止するように設計された、半透膜を含んでいる。圧力が、この膜の入側の面に適用される。圧力は、入側の水圧によって供給することができ、および／または圧力ポンプもしくは入側の圧力を増加するための他の機構を用いて更に調整することができる。汚染物質は、この膜の入側に保持され、そして精製された水は、この膜の出側へと通過することを可能とされる。汚染物質は、排水に流す（flushed down）ことができ、または他のように処分することができる。あるいは、汚染された水は、実際の洗浄サイクルの前に、塊の固体汚れを除去するための予洗液として用いることができ、後の使用のために再生および処理することができる。更に、汚染された水からの熱は、再使用水または送り込み流れのエネルギーコストを低減するための再生熱であることができる。結果として得られる成分水は、次いである種の貯蔵容器、例えばタンク１１２中に貯蔵されることができ、または最終の使用用途に直接に提供されることができる。
【００２７】
典型的なＲＯ発生器は、１つもしくは２つ以上の前置フィルタ、ＲＯ膜、および１つもしくは２つ以上の後置フィルタを含むことができる。前記フィルタは、粒子、例えば砂、土壌、さびおよび他の堆積物を取り除く。また、前置フィルタは、塩素を除去するためにフィルタを含むことができ、塩素は特定の種類のＲＯ膜に損傷を与える可能性がある。ＲＯ膜自体は、例えばＴＦＣ／ＴＦＭ（薄膜複合材／薄膜材料）、渦巻形ＣＴＡ（三酢酸セルロース）を含むことができる。１つまたは２つ以上の後置フィルタを、ＲＯ膜によって除去されなかった他の化学薬品を捕捉するように含むことができる。
【００２８】
成分水発生器１０６は、自動遮断弁を更に含むことができる。例えば、貯蔵タンク１１２が満杯である場合には、自動遮蔽弁は、いずれかの更なる給水が、成分水発生器１０６に入るのを停止させること、および更なる成分水の生成を停止させることを可能にする。反対に、遮断弁は、成分水１１４が貯蔵タンク１１２から抜き出された場合に、開くことができ、更なる給水が、成分水発生器１０６を通して流れ、そして更なる成分水が生成されることを可能にする。また、成分水発生器は、成分水の、貯蔵タンク１１２から成分水発生器１０６中への逆流を防ぐ逆止弁を含むことができる。また、成分水発生器１０６は、規定された仕様を有する成分水を得るために必要とされる流量を維持する、流量制御装置を含むことができる。また、ＲＯシステムの場合には、成分水発生器１０６は、ＲＯ膜への圧力を増加する圧力ポンプを含むことができる。このことは、ＲＯシステムの性能および生成効率を向上させ、および／またはＲＯ膜への最適な操作圧力を与えることを援けることができる。
【００２９】
ＲＯシステムのいわゆる生成効率は、ＲＯシステムの出力側に生成された精製された水の、入側に適用された水の全体積に対するパーセントを表している。残りは、排水として、拒絶された汚染物質と共に排出される。本開示の目的では、システム１００の成分水発生器１０６は、５０〜９０％の範囲の生成効率を有することができる。更に、成分水発生器１０６の生成速度は、少なくとも１．０〜１０．０ガロン／分であることができる。
【００３０】
成分水発生器が、ＲＯシステムに関して記載されてきたが、当業者は、所定の使用に適合する成分水を生成することができるいずれかのシステムを、ここに記載されたＲＯシステムに置き換えることができることを容易に理解することができるであろし、そしてこの開示は、この点で限定されるものではない。例えば、混合樹脂床脱イオン装置、蒸留、または電気分解式脱イオン、または他の技術もまた用いることができる。
【００３１】
幾つかの例では、成分水発生器１０６は、以下の例示の成分水仕様の１つもしくは２つ以上に適合する成分水を生成することができる。
【００３２】
【表１】
2015529517.tif 000003
【００３３】
上記の表に示されるように、第１の仕様に適合する成分水では、成分水は、０〜４００百万分率（ｐｐｍ）の範囲の全溶解固形物を含み、水硬度イオン、例えば、限定されるものではないが、カルシウムとマグナシウム由来の固形分の寄与は６０ｐｐｍ以下でなければならない。第１の仕様に適合する成分水では、成分水は、０〜２００百万分率（ｐｐｍ）の範囲の全溶解固形物を含み、水硬度イオン由来の固形分の寄与は２０ｐｐｍ以下でなければならない。第１の仕様に適合する成分水では、成分水は、０〜１００百万分率（ｐｐｍ）の範囲の全溶解固形物を含み、水硬度イオン由来の固形分の寄与は１０ｐｐｍ以下でなければならない。しかしながら、他の成分水仕様もまた規定することができること、上記の成分水仕様は、例示の目的だけのためであること、そして本開示は、この点について限定するものではないことが理解されなければならない。
【００３４】
図２は、規定された仕様を有する成分水を用いる、例示の洗濯システムの電子要素２００を示すブロック図である。洗濯機制御器は、洗濯機１０２の運転、例えば、洗濯サイクルのそれぞれの部分がどれぐらい継続するか、洗濯サイクルのそれぞれの部分の間に用いられるべき水の温度と量、モーターの速度、および洗濯機サイクルの他の面、を制御する。洗濯機制御器２０６は、成分水制御器２０２、成分水ポンプ２１２、および分配器制御器２０８と連絡することができる。成分水制御器２０２は、成分水発生器１０６の運転を制御する。成分水発生器制御器２０２は、貯蔵タンク、例えば図１中の貯蔵タンク１１２と組み合わされたレベルセンサ２０４と連絡することができる。レベルセンサ２０４は、貯蔵タンク中に貯蔵された成分水の量が、所定の水準より何時低くなったかを示すことができる。所定の水準に達した場合には、成分水発生器制御器２０２は、所望の水準に到達するまで、追加の成分水が発生されるようにせしめることができる。
【００３５】
洗濯機制御器２０６は、成分水ポンプ２１２と連絡して、洗濯機サイクルの間の種々の時間に、適切な量の成分水が、貯蔵タンクから洗濯機中へと抜き出されるようにせしめることができる。洗濯機用の成分水が要求に応じて（on demand）発生される場合には、洗濯機制御器２０６は、成分水発生器制御器と連絡して、洗濯機サイクルの間の種々の時間に、適正な量の成分水が、成分水発生器から洗濯機へと供給されるようにせしめることができる。
【００３６】
洗濯機制御器２０６は、分配器制御器２０８と更に連絡して、特定の量の１種もしくは２種以上の化学製品が、洗濯機サイクルの間の特定の時間に分配されるようにせしめることができる。分配器制御器２０８は、化学製品分配器２１０の運転を制御して、化学薬品を洗濯器中に分配する。
【００３７】
分配器制御器は、成分水ポンプ２１４と連絡することができ、それによって１つもしくは２つ以上の化学製品分配器２１０は、関連する化学製品の分配の間に成分水を用いることができる。化学製品分配器のための成分水が要求に応じて（on demand）発生される場合には、分配器制御器２０８は、成分水発生器制御器２０６と連絡して、洗濯機サイクルの間の適切な時間に、適切な量の成分水が、成分水発生器から１つもしくは２つ以上の化学製品分配器２１０へと直接に供給されるようにせしめることができる。
【実施例】
【００３８】
図３は、成分水（この例では、約１０ＴＤＳを有するＲＯ水）および標準の市水（約５グレイン／ガロン（ｇｐｇ）の硬度）；５グレイン×１７ｐｐｍ／グレイン＝８５ｐｐｍの硬度）ブラス加えられた固形分（例えば、典型的な硬度イオンではない、他の懸濁された、または溶液中に溶解された物質）について、多様な汚染剤についての汚れ除去の例示の試験データを示すグラフ３０２である。これらの試験は、同じ製品用量、洗浄処方、撹拌速度および水温を用いた状況で行った。これらの試験は、幾つかの汚染剤、例えばコーヒー、カレー、体の汚れ、オリーブオイル、口紅、化粧品（makeup）および茶を用いて行った。例示のデータは、成分水を用いた場合の、標準の市水に比べて、それぞれの種類の汚染剤に対しての、高められた汚れ除去を示している。
【００３９】
図４は、１７グレインの硬度、５グレインの硬度有する水、軟水（測定結果をここに挿入）および成分水（この例では、約１０ＴＤＳを有するＲＯ水）を用いた、多様な汚染剤についての汚れ除去の例示の試験データを示すグラフ３０４である。これらの試験は、同じ製品用量、洗浄処方、撹拌速度および水温を用いて、tergotometerで行った。これらの試験は、幾つかの汚染剤、例えば埃皮脂（dust sebum）、口紅、化粧品（makeup）、オリーブオイル（綿布）およびオリーブオイル（ポリ綿布）を用いて行った。例示のデータは、成分水を用いた場合の、いずれかの他の種類の水に比べての、それぞれの種類の汚染剤についての、向上した洗浄性を示している。
【００４０】
図５は、５ｇｐｇの硬度を有する水および成分水（この例では、約１０ＴＤＳを有するＲＯ水）を用いた、多様な汚染剤についての、温度に対する汚れ除去の例示の試験データを示すグラフ３０６である。これらの試験は、同じ製品用量、洗浄処方、撹拌速度を用いて、tergotometerで行った。それぞれの試験は、７０°Ｆ、８０°Ｆ、１００°Ｆおよび１２０°Ｆの水温で行った。これらの試験は、幾つかの汚染剤、例えば埃皮脂（dust sebum）、口紅、化粧品（makeup）、オリーブオイル（綿布）およびオリーブオイル（ポリ／綿布）を用いて行った。例示のデータは、成分水を用いた場合の、５ｇｐｇ硬度の水に比べての、それぞれの温度における、それぞれの種類の汚染剤に対する向上した汚れ除去を示している。
【００４１】
図６は、５ｇｐｇの硬度を有する水および成分水（この例では、約１０ＴＤＳを有するＲＯ水）を用いた、多様な汚染剤についての、時間に対する汚れ除去の例示の試験データを示すグラフ３０８である。これらの試験は、同じ製品用量、洗浄処方、撹拌速度および水温を用いて、tergotometerで行った。それぞれの試験は、４分間、６分間、８分間、１０分間、１５分間、および２０分間の洗浄時間で行った。これらの試験は、幾つかの汚染剤、例えば埃皮脂（dust sebum）、口紅、化粧品（makeup）、オリーブオイル（綿）およびオリーブオイル（ポリ／綿）を用いて行った。例示のデータは、成分水を用いた場合の、５ｇｐｇ硬度の水に比べての、それぞれの洗浄時間における、それぞれの種類の汚染剤に対する向上した汚れ除去を示している。
【００４２】
図７は、５ｇｐｇの硬度を有する水および成分水（この例では、約１０ＴＤＳを有するＲＯ水）を用いた、多様な汚染剤についての、洗浄剤用量に対する汚れ除去の例示の試験データを示すグラフ３１０である。これらの試験は、同じ洗浄処方、撹拌速度および水温を用いて、tergotometerで行った。それぞれの試験は、全体の処方の用量の２５％、４０％、６０％および１００％の洗浄剤用量で行った。これらの試験は、幾つかの汚染剤、例えばＢＭＩ（血液、牛乳、インク）、埃皮脂（dust sebum）、口紅、化粧品（makeup）、オリーブオイル（綿）、オリーブオイル（ポリ／綿）および茶を用いて行った。例示のデータは、成分水を用いた場合の、５ｇｐｇ硬度の水に比べての、それぞれの洗浄剤用量における、それぞれの種類の汚染剤に対する向上した汚れ除去を示している。
【００４３】
図８は、５ｇｐｇの硬度を有する水および成分水（この例では、約１０ＴＤＳを有するＲＯ水）を用いた、血液を汚染剤としたときの、アルカリ性の水準に対する汚れ除去の例示の試験データを示すグラフ３１２である。これらの試験は、同じ製品用量、洗浄処方、撹拌速度および水温を用いて、tergotometerで行った。それぞれの試験は、９３ｐｐｍの酸化ナトリウム（Ｎａ２Ｏ）、１８６ｐｐｍの酸化ナトリウム、および２７９ｐｐｍの酸化ナトリウムで行った。これらの試験は、所望のアルカリ性の水準を得るために、２種の異なる化学薬品を用いて行った；ソーダ灰（炭酸ナトリウム、Ｎａ２ＣＯ３）および水酸化ナトリウム（「苛性アルカリ」、ＮａＯＨ）。例のデータは、成分水を用いた場合の、５ｇｐｇの硬度の水に比べての、それぞれのアルカリ性度についての向上した汚れ除去を示している。
【００４４】
図３〜８に示したデータは、例えば、５ｇｐｇの硬度を有する水と比較した、成分水の全ての試験における向上した汚れ除去速度を示している。５ｇｐｇ硬度の水は、通常は、洗濯の目的では「良好な」水であると考えられているので、このことは驚くべきことである。
【００４５】
図９は、規定された仕様を有する成分水を用いた例示の洗浄プロセス３５０を説明する図である。典型的な１００ポンドの産業用洗浄機での例示の洗浄プロセス３５０は、温水／冷水（例えば、１００°Ｆで４０ガロン）を用いた、洗浄または「石鹸水洗い」サイクル３５２を含むことができる。水温は、例えば、適切な体積の冷水（例えば、６５〜８５°Ｆ）を、適切な量の熱水（例えば、１２０〜１４０°Ｆ）と混合することによって得ることができる。しかしながら、本開示は、この点で限定されるものではない。
【００４６】
サイクル３５２の間に、適切な体積の成分水が、洗濯機１０２に供給される。更に、適切な量の洗浄剤および／または他の洗濯用化学薬品もまた洗濯機１０２中に分配することができる。洗浄サイクル３５２の完了の後に、洗濯槽は排水され、そして洗浄サイクルは、漂白サイクル３５４へと進む。
【００４７】
例示の漂白サイクル３５４は、温水／冷水（例えば、１００°Ｆで２０ガロン）を用いることができる。中間の抜出サイクル３５６は、過剰の水をいずれかの洗濯用化学薬品および取り除かれた汚れとともに、繊維製品から、回転もしくは他の抜出方法によって、除去する。すすぎ／仕上げサイクル３５８は、温水／冷水（例えば、１００°Ｆで５２ガロン）を用いることができる。サイクル３５４および３５８の間に、適切な体積の成分水が、洗濯機１０２へと供給され、そしてそれぞれのサイクルに関係する適切な量の洗濯用化学薬品もまた、洗濯機１０２中へと分配される。最終的な抜出サイクル３６０は、乾燥を促進するために、洗浄機サイクルの終了の前に、過剰の水を繊維製品から取り除くことができる。
【００４８】
この例では、１つの洗濯機サイクルが、約１１２ガロン／ＣＷＴ（ハンドレッドウェイト）を用い、その約５６ガロンは熱水（例えば、１２０〜１４０°Ｆ）であり、そしてその５６ガロンは冷水（例えば、６５〜８５°Ｆ）である。しかしながら、洗濯機サイクル３５０のそれぞれのサイクルの具体的な水の体積および温度は、例示の目的のためだけに記載されており、そして他の水の体積および／または水温もまた用いることができること、ならびに本開示はこの点で限定するものではないことが理解されなければならない。更に、これらのサイクルは、異なる順序で行うことができ、１つもしくは２つ以上のサイクルを省くことができ、あるいは１つもしくは２つ以上の付加的なサイクルを加えることができ、そして本開示はこの点で限定するものではない。
【００４９】
種々の例を説明した。これらのおよび他の例は、添付の特許請求の範囲内にある。
【図１】
2015529517.tif 000004
【図２】
2015529517.tif 000005
【図３】
2015529517.tif 000006
【図４】
2015529517.tif 000007
【図５】
2015529517.tif 000008
【図６】
2015529517.tif 000009
【図７】
2015529517.tif 000010
【図８】
2015529517.tif 000011
【図９】
2015529517.tif 000012
【国際調査報告】
2015529517.tif 000013
2015529517.tif 000014